(57)【要約】【課題】皺をのばすためのフェースリフトアップを簡単迅速に而も安全に効果的に行うことを可能にし、且つアクセサリーとしても使用可能なフエースリフトアップ用器具を提供する。【解決手段】毛髪の束を沿わせるように又は巻き付けるように保持する芯体と、この芯体に対して芯体周面部に外嵌する着脱可能な割筒形の外装体によりなり、クリップ体の芯体後部に毛髪牽引用のフック掛け部を有し、芯体と外装体とを毛髪を挟んで軸方向一体に固定しフック掛け部にリフトバンドを係着することにより毛髪を牽引してなるものである。【選択図】　　図１
2004016379.tif 000002
【特許請求の範囲】
【請求項１】
顔の皺をのばすように該部に対応する部位の毛髪を束ねて引張るフェースリフトアップ用器具であって、毛髪の束を沿わせるように又は巻き付けるように保持する芯体（１１）と、この芯体に対して芯体周面部に外嵌する着脱可能な割筒形の外装体（１２）によりなるクリップ体（１０）を主構成とし、クリップ体（１０）の芯体後部に毛髪牽引用のフック掛け部（１）を有し、芯体（１１）と外装体（１２）とを毛髪を挟んで軸方向一体に固定しフック掛け部（１）にリフトバンド（２０）を係着することにより毛髪を牽引してなることを特徴とするフェースリフトアップ用器具。
【請求項２】
顔の皺をのばすように該部に対応する部位の毛髪を束ねて引張るフェースリフトアップ用器具であって、毛髪の束を沿わせるように又は巻き付けるように保持する芯体（１１）と、この芯体に対して芯体周面部に外嵌する着脱可能な割筒形の外装体（１２）によりなるクリップ体（１０）を主構成とし、クリップ体（１０）の芯体（１１）の外周面に１又は複数の凹凸環状部（２．３）を、対応する外装体（１２）の内周面に芯体の凹凸環状部（４．５）と咬合する凹凸環状部（４．５）を形成し、芯体と外装体の凹凸環状部に毛髪を咬み込ませて軸方向一体に固定しフック掛け部（１）にリフトバンド（２０）を係着することにより毛髪を牽引してなるフェースリフトアップ用器具。
【請求項３】
クリップ体（１０）の外装体（１２）に装飾を施してなる請求項１又は２記載のフェースリフトアップ用器具。
【発明の詳細な説明】
【０００１】
【発明の属する技術分野】
本発明は、顔の皺や目尻の皺をのばすのに使用する飾り具を兼ねたフェースリフトアップ用器具に関する。
【０００２】
【従来の技術】
額や目尻の皺をのばす美顔術の一手段として手術による方法が知られている。このような手術は整形外科医等によってメスを入れて皺の垂みをとるものである。
【０００３】
【発明が解決しようとする課題】
しかし、手術によるものは危険を伴い、而も高額の費用を要することは避け得ないという問題がある。
【０００４】
従来、頭髪の一部を束ねて牽引することでフェースリフトアップする方法は、例えばメークアップの一手法として一般に知られている。このような従来のフェースリフトアップの方法は髪の毛を束ねて束ねた部分にひもを巻き付けて縛り、その縛った部分をゴムバンド等で牽引するものである。しかし、この方法は髪の毛の結束部がづれ動いて緩んだり外れる心配があり、フェースリフトアップを効果的に行えないとか、露出部分が醜いために外観上体裁が悪く、セットしたまま外出し難いという問題があり、且つその上、髪の毛の束が少ないと、束ね難い上に強く緊縛できないためフェースリフトアップが実施できなかった。
【０００５】
本発明の目的は、メスを入れて皺の垂みをとるような整形手術を一切しないで、恰も頭髪のセットをする程度の気楽さでフェースリフトアップを簡単、迅速に而も安全に行うことができ、且つアクセサリーを装着したように使用することを可能としたフェースリフトアップ用器具を提供することにある。
【０００６】
【課題を解決するための手段】
上記目的を達成するための本発明の技術手段は、顔の皺をのばすように該部に対応する部位の毛髪を束ねて引張るフェースリフトアップ用器具であって、毛髪の束を沿わせるように又は巻き付けるように保持する芯体１１と、この芯体に対して芯体周面部に外嵌する着脱可能な割筒形の外装体１２によりなるクリップ体１０を主構成とし、クリップ体１０の芯体後部に毛髪牽引用のフック掛け部１を有し、芯体１１と外装体１２とを毛髪を挟んで軸方向一体に固定しフック掛け部１にリフトバンド２０を係着することにより毛髪を牽引してなるものである。
【０００７】
上記構成のフェースリフトアップ用器具は、２つのクリップ体を左右一対にして使用するとともに、両クリップ体のフック部に牽引バンド等を取付けることで、毛髪の束を左右両側から後頭部の方向へ適正な牽引力でリフトアップすることができる。このリフトアップにより例えば目尻の皺の垂みが引張られてのびるため、セットしている間皺のない美顔を保つことが可能となる。
【０００８】
また、本発明の第２の技術手段は、顔の皺をのばすように該部に対応する部位の毛髪を束ねて引張るフェースリフトアップ用器具であって、毛髪の束を沿わせるように又は巻き付けるように保持する芯体１１と、この芯体に対して芯体周面部に外嵌する着脱可能な割筒形の外装体１２によりなるクリップ体１０を主構成とし、クリップ体１０の芯体１１の外周面に１又は複数の凹凸環状部２．３を、対応する外装体１２の内周面に芯体の凹凸環状部４．５と咬合する凹凸環状部４．５を形成し、芯体と外装体の凹凸環状部に毛髪を咬み込ませて軸方向一体に固定しフック掛け部１にリフトバンド２０を係着することにより毛髪を牽引することである。
【０００９】
斯る構成とすることにより、芯体に毛髪を沿わせ、又は巻き付けるようにしてその上から外装体を外嵌させると、内外両面の凹凸環状部が毛髪を挟んで咬込むため軸方向に対しては完全に一体化してルーズに遊動したり抜脱することが一切なく、従って強力に毛髪の牽引を効率よく行うことができる。
【００１０】
さらに、本発明においては、クリップ体１０の外装体１２に装飾を施してなることを特徴とするものである。
【００１１】
本発明は上記構成とすることにより、フェースリフトアップ用器具を装着した状態では恰もイヤリングや髪飾りをしたようにお洒落感覚で使用可能であり、その結果、セット中でも自由に楽しく外出をすることができる。
【００１２】
【発明の実施の形態】
以下、添付図面を参照して本発明の好ましい実施例を説明する。
【００１３】
【実施例】
図１乃至図４は一例として本発明のフェースリフトアップ器具を示したものであり、図１は実際に使用した状態の図であり、図２は器具の斜視図、図３及び図４はクリップ体の詳細図を示している。
【００１４】
図２中（イ）に示すように本発明のフェースリフトアップ用器具は、２つのクリップ体１０．１０を左右一対にしたものをリフトバンド２０で連結したものからなる。リフトバンド２０はゴムバンドのような伸縮性を有するもの、又は非伸縮性のひも体が用いられ長さ調節及び中間を止具２１により着脱可能に形成する。止具２１は面チャック又は雌雄一対の係止体、バックル等であってもよい。
【００１５】
クリップ体１０は芯体１１とその芯体外周部に外嵌する外装体１２とよりなる。芯体１１は短軸棒状のものに複数条の凹凸環状部４．５を有し、後端部にリフトバンド２０へのフック掛け部１を具有する。このような芯体１１は断面円形が好ましいが多角形であっても差仕えない。外装体１２は全長に縦割部６を有する弾性体よりなり、内周面に芯体１１の凹凸環状部に対応した凹凸環状部４．５を具有したものからなる。このような外装体１２は、縦割部６より全体が拡径するように押し広げてその間から芯体１１を強制圧入して芯体１１に外装体１２を弾圧的に外嵌する。このようにすると、内外両面の凹凸状部２．３と４．５が互いに係合して軸方向に対して一体に結合される。外すときは、縦割部６を押広げて外嵌を緩めれば容易に芯体１１より外装体１２を取り外すことができる。
【００１６】
また、このようなクリップ体１０、特に外装体１２は各種色彩に着色し又独自のデザインを施し、例えば彫物、或いは図柄、絵、文字等を描出して頭飾品のように意匠的効果を高めるように工夫する。
【００１７】
リフトアップしようとする部位（例えば図１に示すように耳の上部）の毛髪を束ねて芯体１１に沿わせ、又は一部を巻き付けるようにしてその上から外装体１２を外嵌させると、毛髪は内外両面の凹凸環状部２．３と４．５に咬込んだように屈曲して掴持される為クリップ体１０は毛髪の束を掴んだように固定される。このクリップ体を左右一対のものを夫々のフック掛け部１にリフトバンド２０の端部の係止部２２を係止し、リフトバンド２０は後頭部で互いに面チャック、その他の止具２１で結合し、リフトバンド２０の全体を頭髪で覆いかくすようにする。このようにすると、前方又は側方よりクリップ体１０のみが目立つがリフトバンド２０は全く見えないので、恰も頭部の左右両側部に短軸棒状のアクセサリーが装着された如くになってフェースリフトアップを人目につかない状態で実施することができる。
【００１８】
クリップ体１０．１０により左右の毛髪の束が後方へ牽引されて所謂フェースリフトアップされると、目尻等の皮膚が後方へ牽引されるため、皺がのばされることは言うまでもない。また、目やまゆげを吊り上げたり、逆に下げたりしてメーキャップを容易に行うこともできる。
【００１９】
【発明の効果】
以上説明したように本発明によれば、クリップの芯体に髪の毛の束を当てがいその上から外装体を弾圧的に外嵌することによりクリップ体で髪毛の束を咬込んでしっかり固定し、固定した部位をリフトバンドに引掛けて強力に牽引するためリフトアップを効果的に行うことができると共に、リフトバンドやクリップへの結合部等を髪の毛でかくすようにできるため、セット時でも余まり目立たないので体裁がよく、誰れでも独りで簡単に使用することができる。
【００２０】
また、本発明によればクリップ体の外装体を形態及び色彩豊かにデザインし、図柄、絵等を施すことにより、お洒落感覚で頭飾りを装着した如くに使用することができ室内はもとより外出時にも気楽に使用できる。
【図面の簡単な説明】
【図１】本発明フェースリフトアップ器具の一実施例を示し、（イ）はクリップをセットした状態の外観図、（ロ）は本器具全体の斜視図である。
【図２】クリップ体の芯体と外装体の斜視図。
【図３】クリップ体の拡大した図を示し、（イ）はその側面図、（ロ）はＡ−Ａ線の断面図、（ハ）はＢ−Ｂ線の断面図である。
【図４】クリップ体の他の実施例を示し、（イ）は縦断側面図、（ロ）はＣ−Ｃ線の断面図である。
【符号の説明】
１　　　フック掛け部
２．３、４．５　凹凸環状部
１０　　クリップ体
１１　　芯体
１２　　外装体
２０　　リフトバンド
【図１】
2004016379.tif 000003
【図２】
2004016379.tif 000004
【図３】
2004016379.tif 000005
【図４】
2004016379.tif 000006